(57)【要約】【課題】カメラに取り付けられたグリップベルトにキャップホルダを通す必要があったため、キャップホルダの付け外し作業が容易でなく、キャップホルダの取付け、取外しに手間がかかるという問題があった。【解決手段】レンズキャップ９を係止するキャップ紐１０が挿通されるキャップ紐用穴３２と、ハンドストラップ２０のストラップ紐２５が挿通されるストラップ紐用穴３２と、を設けたブロック体３１からなる。ブロック体３１の中央部に、表裏面間を貫通するキャップ紐用穴３２が配置され、ブロック体３１のキャップ紐用穴３２を挟んで両側に、表裏面間を貫通すると共に側方に開口されたスリット３４を有する一対のストラップ紐用穴３３，３３が配置されている。ブロック体３１のスリット３４を形成する部分に、ストラップ紐用穴３３に挿通されたストラップ紐２５の抜け出しを防止する爪部３５を設けた。【選択図】図１
2010282022.tif 000002
【特許請求の範囲】
【請求項１】
レンズキャップを係止するキャップ紐が挿通されるキャップ紐用穴と、ハンドストラップのストラップ紐が挿通されるストラップ紐用穴と、を設けたブロック体からなり、
前記ブロック体の中央部に、表裏面間を貫通する前記キャップ紐用穴が配置され、
前記ブロック体の前記キャップ紐用穴を挟んで両側に、表裏面間を貫通すると共に側方に開口されたスリットを有する一対の前記ストラップ紐用穴が配置され、
前記ブロック体の前記スリットを形成する部分に、前記ストラップ紐用穴に挿通された前記ストラップ紐の抜け出しを防止する爪部を設けた
キャップホルダ。
【請求項２】
前記ストラップ紐用穴の、前記スリットが延在する方向と直交する方向に配置された二面に、それぞれ内側に突出する側部突起を設け、前記ストラップ紐用穴を内側凹部と外側凹部との二段構造とした
請求項１記載のキャップホルダ。
【請求項３】
前記内側凹部内に、内側に突出する一以上の突起を設けた
請求項２記載のキャップホルダ。
【請求項４】
前記ストラップ紐用穴の二面に設けた前記側部突起の間の隙間を、前記ストラップ紐の直径よりも小さくした
請求項２記載のキャップホルダ。
【請求項５】
前記爪部は、その先端側が前記キャップ紐用穴側に向いている
請求項１記載のキャップホルダ。
【請求項６】
撮像素子を有する撮像装置本体と、
前記撮像装置本体に取り付けられたレンズ部と、
前記レンズ部を保護するために着脱可能に装着されるレンズキャップと、
前記レンズキャップに取り付けられたキャップ紐と、
前記撮像装置本体に取り付けられたハンドストラップと、
前記ハンドストラップのストラップ紐と前記キャップ紐とを着脱可能且つ長さ調整可能に連結するキャップホルダと、を備え、
前記キャップホルダは、
前記キャップ紐が挿通されるキャップ紐用穴と、前記ストラップ紐が挿通されるストラップ紐用穴と、を設けたブロック体からなり、
前記ブロック体の中央部に、表裏面間を貫通する前記キャップ紐用穴が配置され、
前記ブロック体の前記キャップ紐用穴を挟んで両側に、表裏面間を貫通すると共に側方に開口されたスリットを有する一対の前記ストラップ紐用穴が配置され、
前記ブロック体の前記スリットを形成する部分に、前記ストラップ紐用穴に挿通された前記ストラップ紐の抜け出しを防止する爪部を設けた
撮像装置。
【発明の詳細な説明】
【技術分野】
【０００１】
本発明は、撮影時以外のときに対物レンズを蓋ってレンズ部を保護するレンズキャップを保持するためのキャップホルダ、及び、そのキャップホルダを備えた撮像装置に関する。
【背景技術】
【０００２】
一般に、レンズキャップを備えたデジタルカメラの場合には、二つ折りしたキャップ紐の一端にレンズキャップを取り付け、そのキャップ紐の他端をデジタルカメラ本体に縛り付けて一体化している。これにより、デジタルカメラ本体からレンズキャップが一定距離以上離れないようにして、レンズキャップの紛失防止や、撮影時に手で持ち続ける手間を無くしている。
【０００３】
しかしながら、この一般例の場合には、キャップ紐の他端をデジタルカメラ本体に直接縛り付けていた。そのため、キャップ紐に結び目ができることから、キャップ紐の付け外しに手間がかかり、使用者にレンズキャップを取付け、取外すための手間を掛けているという問題があった。
【先行技術文献】
【特許文献】
【０００４】
【特許文献１】特開２０００−１９４０３５号公報
【０００５】
従来の、この種の撮像装置のキャップホルダとしては、例えば、特許文献１に記載されているようなものがある。特許文献１には、この特許出願人が先に特許出願したもので、レンズキャップホルダに関するものが記載されている。この特許文献１に係るレンズキャップホルダは、撮像装置のグリップベルトに取り付けられ、グリップベルトより突出する凸部に形成されたキャップ保持部と、キャップストリング通し穴を有している。凸部にはレンズキャップに設けられた係合片が係合されてレンズキャップを収納保持するキャップ保持部が形成され、キャップストリング通し穴にはレンズキャップを撮像装置に繋ぐキャップストリングが一定の抵抗をもって移動可能に挿通されている。このキャップストリングを引っ張ることによっても、レンズキャップを収納保持できる、ことを特徴としている。
【０００６】
このような構成を有するレンズキャップホルダによれば、レンズキャップが垂れ下がって撮影の邪魔にならないようにレンズキャップを簡単に収納状態に保持することができる。そのため、キャップストリングを引っ張るだけでレンズキャップを収納保持することができ、撮影時にレンズキャップが自由になってしまう不具合を防ぎ、使い易いものとなる、等の効果が得られる。
【０００７】
しかしながら、上述した特許文献１に係るレンズキャップホルダでは、撮像装置本体に取り付けられたグリップベルトにキャップホルダを通す必要があった。そのため、キャップホルダの付け外し作業が容易でなく、キャップホルダの取付け、取外しに手間がかかるという問題があった。
【発明の概要】
【発明が解決しようとする課題】
【０００８】
解決しようとする問題点は、従来のキャップホルダでは、撮像装置本体に取り付けられたグリップベルトにキャップホルダを通す必要があったため、キャップホルダの付け外し作業が容易でなく、キャップホルダの取付け、取外しに手間がかかるという点である。
【課題を解決するための手段】
【０００９】
本発明のキャップホルダは、レンズキャップを係止するキャップ紐が挿通されるキャップ紐用穴と、ハンドストラップのストラップ紐が挿通されるストラップ紐用穴と、を設けたブロック体からなる。そのブロック体の中央部に、表裏面間を貫通するキャップ紐用穴が配置され、そのブロック体のキャップ紐用穴を挟んで両側に、表裏面間を貫通すると共に側方に開口されたスリットを有する一対の前記ストラップ紐用穴が配置されている。そして、ブロック体のスリットを形成する部分に、ストラップ紐用穴に挿通されたストラップ紐の抜け出しを防止する爪部を設けた。
【００１０】
また、本発明の撮像装置は、撮像素子を有する撮像装置本体と、その撮像装置本体に取り付けられたレンズ部と、レンズキャップと、キャップ紐と、ハンドストラップと、キャップホルダと、を備えている。レンズキャップはレンズ部を保護するために着脱可能に装着され、そのレンズキャップにはキャップ紐が取り付けられている。また、ハンドストラップは撮像装置本体に取り付けられ、そのハンドストラップのストラップ紐とキャップ紐とがキャップホルダによって着脱可能且つ長さ調整可能に連結されている。キャップホルダは、キャップ紐が挿通されるキャップ紐用穴と、ストラップ紐が挿通されるストラップ紐用穴と、を設けたブロック体からなる。そのブロック体の中央部に、表裏面間を貫通するキャップ紐用穴が配置され、そのブロック体のキャップ紐用穴を挟んで両側に、表裏面間を貫通すると共に側方に開口されたスリットを有する一対のストラップ紐用穴が配置されている。そして、ブロック体のスリットを形成する部分に、ストラップ紐用穴に挿通されたストラップ紐の抜け出しを防止する爪部を設けた。
【発明の効果】
【００１１】
本発明のキャップホルダ及び撮像装置によれば、撮像装置本体にハンドストラップを取り付け、レンズキャップにキャップ紐を取り付けておき、そのキャップ紐にキャップホルダを取り付ける。このキャップホルダに対して、ハンドストラップのストラップ紐を引っ掛けることによってストラップ紐とキャップ紐を簡単に連結させることができ、また、その引っ掛けを解除することによって両紐の連結を簡単に解除することができる。従って、ストラップ紐とキャップ紐との連結及びその解除を簡単に行うことができ、２つの紐間の取付け・取外しを容易に行うことができる。
【図面の簡単な説明】
【００１２】
【図１】本発明の撮像装置の第１の実施の形態の例を示すデジタルカメラの全体構成の外観斜視図である。
【図２】図１のデジタルカメラの使用状態を示すもので、キャップ紐を引き込んで短くした外観斜視図である。
【図３】図１のデジタルカメラの使用状態を示すもので、キャップ紐を繰り出して長くした外観斜視図である。
【図４】図１のデジタルカメラの使用状態を示すもので、キャップホルダの一方のストラップ紐用穴からストラップ紐を引き出した外観斜視図である。
【図５】本発明のキャップホルダとキャップ紐とレンズキャップの取付状態を示す斜視図である。
【図６】本発明のキャップホルダの第１の実施の例を示す外観斜視図である。
【図７】本発明のキャップホルダの第１の実施の例を示すもので、図７Ａは正面図、図７Ｂは平面図、図７Ｃは左側面図である。
【図８】本発明のキャップホルダとストラップ紐とキャップ紐との関係を説明するものである。即ち、図８Ａは各部の寸法関係を説明する図、図８Ｂはストラップ紐用穴の内側凹部にストラップ紐が位置している状態の説明図、図８Ｃはストラップ紐用穴の外側凹部にストラップ紐が位置している状態の説明図である。
【図９】本発明の撮像装置に係るレンズキャップの第１の実施の例を示す斜視図である。
【図１０】本発明の撮像装置に係るキャップ紐の第１の実施の例を示す斜視図である。
【図１１】本発明の撮像装置に係るハンドストラップの第１の実施の例を示す斜視図である。
【図１２】本発明のキャップホルダの第２の実施の例を示す正面図である。
【図１３】図１２のキャップホルダとキャップ紐及びストラップ紐との係合状態を示す説明図である。
【発明を実施するための形態】
【００１３】
ブロック体にキャップ紐用穴と一対のストラップ紐用穴を設け、ストラップ紐用穴のスリットに、ストラップ紐の抜け出しを防止する爪部を設ける構成とする。これにより、ストラップ紐の取付け・取外しが容易であって、撮像装置本体からレンズキャップまでの長さ調整を簡単に行うことができるキャップホルダを、比較的簡単な構成によって実現した。
【実施例】
【００１４】
図１は、本発明の撮像装置の実施の形態の一例を示すスチルカメラであり、このスチルカメラは、情報記録媒体として半導体記録媒体を用いたデジタルスチルカメラ（以下単に「デジタルカメラ」という。）である。このデジタルカメラ１は、撮像装置本体の一具体例を示すカメラ本体２と、このカメラ本体２に一体的に設けられたレンズ部３と、同じくカメラ本体２に一体的に設けられたフラッシュ装置４等を備えて構成されている。
【００１５】
カメラ本体２は、内部に空間が設けられた横長の筐体からなり、その内部空間には、図示しないが、各種の電子部品が実装された回路基板、記憶装置、バッテリー電源、その他各種の装置、部品等が収納されている。このカメラ本体２の正面の、中央よりやや右寄りにレンズ部３が配置され、カメラ本体２の左端に把持部５が設定されている。レンズ部３は、カメラ本体２に固定された固定鏡筒６と、この固定鏡筒６に進退動作可能に支持された可動鏡筒７を有している。これら固定鏡筒６及び可動鏡筒７に、レンズ部３のレンズユニットを構成する複数のレンズが固定又は移動可能に支持されている。可動鏡筒７の前面の中央には、レンズユニットの最前列に配置された対物レンズ８が露出されている。この可動鏡筒７の先端にレンズキャップ９が着脱可能に装着され、このレンズキャップ９の装着により、撮影時以外のときに対物レンズ８を蓋ってレンズ部３の保護を図っている。
【００１６】
レンズキャップ９は、図１０に示すような形状、構造を有している。即ち、レンズキャップ９は、レンズ部３の可動鏡筒７の先端部の形状、大きさに対応した形状、大きさを有する円盤状の部材からなっている。レンズキャップ９の一面は閉じられているが、図に表れない他面側は円形の凹陥部として形成されており、可動鏡筒７の先端部に嵌まり合う構成となっている。レンズキャップ９の凹陥部には、例えば、抜け止め用のストッパ爪が一又は二以上設けられており、着脱操作は比較的容易に行えるが、ある程度の力を加えないとレンズキャップ９を取り外すことができないようになっている。
【００１７】
このレンズキャップ９の外周縁には、キャップ紐１０を取り付けるための紐止め部１１が設けられている。紐止め部１１は、レンズキャップ９の半径方向外側に突出する取手状の部分からなり、その中央に、キャップ紐１０が挿通される通し穴１２が設けられている。レンズキャップ９の材質としては、例えば、ＰＣ（ポリカーボネート）、ＰＰ（ポリプロピレン）等のエンジニアリングプラスチックが好適である。
【００１８】
キャップ紐１０は、図１１に示すような形状、構造を有している。即ち、キャップ紐１０は、適当な太さ及び長さを有する紐体からなり、その紐体を二つ折りして、重ね合わせた開口端を止め具１４で締結することにより、全体として環状に構成されている。止め具１４は、例えば、ＡＢＳ（アクリロニトリル・ブタジエン・スチレン樹脂）等のエンジニアリングプラスチックでもよく、また、ステンレス鋼その他の金属であってもよい。
【００１９】
図４に示すように、カメラ本体２の上部には、フラッシュ装置４が、その発光部を開閉可能な状態で取り付けられている。更に、カメラ本体２の上部には、露光開始を指示する機能を有するシャッタボタン１５と、モード切換ダイヤル１６とが設けられている。シャッタボタン１５は、半押し状態と全押し状態の２つの状態を検出可能な２段階検出ボタンである。シャッタボタン１５の半押し状態では被写体に関する記録用静止画像を取得するための準備動作が行われ、全押し状態になると本撮影画像の撮影動作が行われる。モード切換ダイヤル１６は、このカメラに付与された各種機能モード、例えば、静止画撮影、動画撮影、高感度撮影、人物撮影、風景撮影、再生モード等の機能を切り換えることができるものである。
【００２０】
カメラ本体２の背面には、モード選択スイッチ１７と平面モニタ１８とが設けられている。モード選択スイッチ１７は、このカメラに付与された各種機能モード、例えば、フラッシュ撮影、接写撮影、タイマ撮影等をワンタッチ操作で選択できるものである。平面モニタ１８は、例えば、カラー液晶ディスプレイ（ＬＣＤ）や有機ＥＬディスプレイ等によって構成される。この平面モニタ１８は、撮影条件を設定するためのメニュー画面を表示したり、被写体の画像を表示したり、撮影して記憶装置に記憶した画像を再生して表示したりすることが可能である。撮影者は、この平面モニタ１８に表示される画像を視認して、撮影画像の構図を決定することができる。
【００２１】
このカメラ本体２の背面の左側部に、ハンドストラップ２０を取り付けるためのストラップ用取付部２１が設けられている。ストラップ用取付部２１は、カメラ本体２に設けた半円状の凹みからなる凹部２２と、その凹部２２の上面と下面との間に掛け渡すように設けた軸部２３とを有している。このストラップ用取付部２１に対するハンドストラップ２０の取付手順は、後に説明する。
【００２２】
ハンドストラップ２０は、図１２に示すような形状、構造を有している。即ち、ハンドストラップ２０は、ストラップ紐２５と、連結紐２６と、両紐２５，２６間を連結する固定具２７とによって構成されている。ストラップ紐２５は、後述するキャップホルダに対して着脱可能に係合される部分であり、適当な太さ及び長さを有する紐体からなっている。このストラップ紐２５は、二つ折りした両側の開口端が固定具２７の一側に固定されている。この固定具２７の他側に、連結紐２６の二つ折りした両側の開口端が固定され、全体として一体に構成されている。ストラップ紐２５と連結紐２６は、適当な太さ及び長さを有する紐体からなり、これらの太さについては、後に説明する。
【００２３】
このハンドストラップ２０とキャップ紐１０とを着脱可能であって、しかも、長さ調整可能に連結するキャップホルダ３０は、図６〜図８に示すような形状、構造を有している。即ち、キャップホルダ３０は、適当な厚みを有する１個の横長のブロック体３１からなり、そのブロック体３１の中央部にキャップ紐用穴３２が設けられている。そして、キャップ紐用穴３２を挟んでブロック体３１の長手方向両側に一対のストラップ紐用穴３３，３３が設けられている。キャップ紐用穴３２及び一対のストラップ紐用穴３３，３３は、共にブロック体３１を厚み方向に貫通している。
【００２４】
キャップホルダ３０のキャップ紐用穴３２は、ブロック体３１の幅方向に延在された長穴からなり、このキャップ紐用穴３２が延在する方向と直交する方向の両側に、それぞれストラップ紐用穴３３が配置されている。各ストラップ紐用穴３３は、ブロック体３１の長手方向に延在するスリット３４によって長手方向の両端から、それぞれ側方に開口されている。ブロック体３１のスリット３４を形成する部分には、ストラップ紐用穴３３に挿通されたストラップ紐２５の抜け出しを防止するための爪部３５がそれぞれ設けられている。
【００２５】
爪部３５は、スリット３４を形成するブロック体３１の先端部分に、左右対称をなすように設けられている。各爪部３５は、その先端側がキャップ紐用穴３２側を向くように内向きに形成されている。本発明では、一対の爪部３５，３５を、スリット３４を挟んで左右対称に配置すると共に、その形状を鉤爪のように先端側を細くして内向きに形成している。これにより、ストラップ紐２５に対する食い込みが容易となり、長さ調整等の通常の使用状態におけるストラップ紐用穴３３からの抜け出しを確実に防止し、又は、抜け出しを効果的に抑制することができる。
【００２６】
また、ストラップ紐用穴３３の、スリット３４が延在する方向と平行する方向に展開された二面のほぼ中央部に、それぞれ内側に突出する側部突起３６，３６が設けられている。この一対の側部突起３６，３６により、各ストラップ紐用穴３２は、キャップ紐用穴３２に近い内側凹部３３ａと、スリット３４に近い外側凹部３３ｂとの二段構造となっている。更に、ストラップ紐用穴３３の、スリット３４が延在する方向と直交する方向に展開された一面のほぼ中央部に、スリット３４側に向いて突出する底部突起３７が設けられている。側部突起３６と底部突起３７は、この実施例では半円形の突条として形成したが、三角形の突条として形成してもよい。
【００２７】
図８Ａ〜８Ｃに示すように、キャップ紐用穴３２にはキャップ紐１０の２本が挿通され、１つのストラップ紐用穴３３には１本のストラップ紐２５が挿通される。キャップ紐１０とストラップ紐２５は、ともに糸を寄り合わせる等により形成され、弾性変形可能に構成されている。キャップ紐用穴３２は、キャップ紐１０の直径をＤＢとすると、２本のキャップ紐１０を弾性変形させて挿通した状態において、互いの接触部に適度な摩擦抵抗を生じる程度の大きさに設定している（図８Ｂ、図８Ｃを参照）。これにより、レンズキャップ９の自重程度ではキャップ紐１０はキャップ紐用穴３２に保持されて移動することはないが、ある程度の力をキャップ紐１０に加えると、キャップ紐用穴３２の保持力に打ち勝ってキャップ紐１０の移動が可能となっている。
【００２８】
ストラップ紐２５の直径をＤＡとすると、その直径ＤＡは、キャップ紐１０の直径ＤＢよりも適度に大きく（太く）設定されている（ＤＡ＞ＤＢ）。このストラップ紐２５に対してストラップ紐用穴３３は、図８Ｂ及び図８Ｃに示すように、内側凹部３３ａ及び外側凹部３３ｂの各部において、ストラップ紐２５の容積と同程度か又は少し大き目の容積を占める大きさに形成されている。このとき、２つの側部突起３６，３６間の隙間（間隔）をＥ１とすると、その隙間Ｅ１は、ストラップ紐２５の直径ＤＡよりも適度に小さく設定されている（ＤＡ＞Ｅ１）。また、隙間Ｅ１と２つの爪部３５，３５間の隙間（間隔）Ｅ０を比べると、隙間Ｅ０が隙間Ｅ１よりも適度に小さく設定されている（Ｅ１＞Ｅ０）。
【００２９】
図８Ｂは、ストラップ紐２５が、ストラップ紐用穴３３のうち内側凹部３３ａ内に係合されている状態を示すものである。この状態では、ストラップ紐２５は、２つの側部突起３６，３６と１つの底部突起３７とに適度に押し付けられていて、これらの間に生じる摩擦力によってその位置に保持されている。この場合、２つの側部突起３６，３６間の隙間Ｅ１が比較的大きく、移動の障害となっているストラップ紐２５の係合部分が比較的少ないため、内側凹部３３ａから外側凹部３３ｂへのストラップ紐２５の移動は、比較的容易に行うことができる。また、ストラップ紐２５を、その長手方向にスライドさせることも、比較的容易に行うことができる。
【００３０】
図８Ｃは、ストラップ紐２５が、ストラップ紐用穴３３のうち外側凹部３３ｂ内に係合されている状態を示すものである。この状態では、ストラップ紐２５は、２つの爪部３５，３５に強く押し付けられ、これら爪部３５との間に生じる摩擦力によってその位置に保持されている。この場合、２つの爪部３５，３５間の隙間Ｅ０が比較的小さく、その爪部３５がストラップ紐２５の内部に深く食い込んでいる。そのため、ストラップ紐２５の移動の障害となっている係合部分が大きいために、外側凹部３３ｂからスリット３４を経て外部へ飛び出すまでのストラップ紐２５の移動には、比較的大きな力を要することになる。一方、ストラップ紐２５を、その長手方向にスライドさせることは、比較的容易に行うことができる。
【００３１】
キャップホルダ３０の材質としては、例えば、ＡＢＳが好適であるが、ＰＯＭ（ポリアセタール）その他のエンジニアリングプラスチックを用いることもでき、また、シリコンゴムやアクリルゴムその他のゴムを用いることもできる。なお、図６〜図８に示す符号３８は、キャップホルダ３０の移動方向を表示する方向表示部である。この方向表示部３８は、ブロック体３１の幅方向両面に設定されており、キャップホルダ３０を移動することができる方向を指し示している。
【００３２】
このような構成を有するキャップホルダ３０は、例えば、次のようにして使用することができる。レンズキャップ９にはキャップ紐１０を取り付け、ハンドストラップ２０はカメラ本体２に取り付ける。そして、このハンドストラップ２０とキャップ紐１０をキャップホルダ３０によって係合することにより、キャップホルダ３０を介してハンドストラップ２０とキャップ紐１０とを長さ調整可能に連結することができる。
【００３３】
レンズキャップ９に対するキャップ紐１０の取り付けは、例えば、次のようにして行うことができる。まず、キャップ紐１０の止め具１４と反対側の先端部１０ａを、キャップホルダ３０のキャップ紐用穴３２に挿通し、そのキャップホルダ３０をキャップ紐１０の中途部まで移動させる。この場合、キャップ紐１０の先端部１０ａ側には止め具１４のような障害物が無く、また、キャップ紐用穴３２はキャップ紐１０の面積と同程度の大きさに設定されているため、容易に刺し通すことができる。
【００３４】
次に、キャップ紐１０の先端部１０ａを、レンズキャップ９の紐止め部１１の通し穴１２に挿通する。この先端部１０ａを紐止め部１１から適度に突出させたところで、その先端部１０ａを環状に開き、その環内に止め具１４側を通過させ、先端部１０ａを締め付ける。これにより、図５に示すように、キャップホルダ３０がキャップ紐１０に取り付けられ、そのキャップ紐１０がレンズキャップ９に取り付けられる。
【００３５】
一方、ハンドストラップ２０は、予めカメラ本体２に取り付けておく。このハンドストラップ２０の取り付けは、例えば、次のようにして行うことができる。まず、カメラ本体２のストラップ用取付部２１の凹部２２にハンドストラップ２０の連結紐２６の先端部２６ａを挿通し、その先端部２６ａを凹部から適度に突出させる。次に、連結紐２６の先端部２６ａを環状に開き、その環内にストラップ紐２５及び固定具２７を通過させ、先端部２６ａを軸部２３に締め付ける。これにより、図４に示すように、ハンドストラップ２０がカメラ本体２に取り付けられる。
【００３６】
次に、キャップホルダ３０にハンドストラップ２０のストラップ紐２５を結び付ける。このストラップ紐２５の結び付けは、例えば、次のようにして行うことができる。図４に示すように、ストラップ紐２５の先端部２５ａより内側部分にキャップホルダ３０を臨ませる。そして、キャップホルダ３０の一対のストラップ紐用穴３６，３６のうち、一方のストラップ紐用穴３６にストラップ紐２５の一方を係合させ、他方のストラップ紐用穴３６にストラップ紐２５の他方を係合させる。
【００３７】
このストラップ紐用穴３６に対するストラップ紐２５の係合作業は、ストラップ紐２５をスリット３４から差し込むことによって行われる。この場合、図８Ａ〜図８Ｃに示すように、ストラップ紐２５の直径ＤＡに対してスリット３４の隙間Ｅ０は十分に小さいが、ストラップ紐２５が繊維で形成されていて十分な弾性を有している。しかも、スリット３４を形成している一対の爪部３５，３５は、その鉤状の先端が内側を向いている。そのため、ストラップ紐２５をストラップ紐用穴３６に挿入する作業は、比較的容易に行うことができる。
【００３８】
また、ストラップ紐用穴３６内において、ストラップ紐２５を外側凹部３３ｂから内側凹部３３ａに移動する作業は、一対の側部突起３６，３６間の隙間Ｅ１がスリット３４の隙間Ｅ０よりも大きいため、これも比較的容易に行うことができる。このような係合作業をストラップ紐２５の２箇所で行うことにより、図１に示すように、キャップホルダ３０を介してハンドストラップ２０とストラップ紐２５とを長さ調整可能に結び付けることができる。
【００３９】
次に、レンズキャップ９の保持位置の調整（長さ調整）について説明する。
この長さ調整は、２種類の方法を取ることができる。第１の長さ調整は、ストラップ紐２５に対してキャップホルダ３０を固定しておき、そのキャップホルダ３０に対してキャップ紐１０を出し入れして長さを調整する方法である。第２の長さ調整は、キャップホルダ３０に対してキャップ紐１０を固定しておき、そのキャップホルダ３０をストラップ紐２５に対してスライドさせて長さを調整する方法である。なお、第１の長さ調整と第２の長さ調整を合わせて全体の長さ調整を行うことができることは勿論である。
【００４０】
第１の長さ調整は、例えば、次のようにして行うことができる。図２は、キャップホルダ３０に対してキャップ紐１０を引き込み、カメラ本体２からレンズキャップ９までの長さを短くした状態を示している。このように、キャップ紐１０をキャップホルダ３０に引き込んでレンズキャップ９を近づけることにより、カメラ本体２からレンズキャップ９までの距離を短くして、カメラ本体２に近い位置でレンズキャップ９を保持することができる。
【００４１】
これに対して、図３は、キャップホルダ３０からキャップ紐１０を引き出し、カメラ本体２からレンズキャップ９までの長さを長くした状態を示している。このように、キャップ紐１０をキャップホルダ３０から引き出してレンズキャップ９を遠ざけることにより、カメラ本体２からレンズキャップ９までの距離を長くして、カメラ本体２から遠い位置でレンズキャップ９を保持することができる。
【００４２】
第２の長さ調整は、例えば、次のようにして行うことができる。図３に示す状態において、片手でストラップ紐２５の先端部２５ａを持ち、もう一方の手（通常、この手はカメラ本体２を保持する。）でキャップホルダ３０を持ってスライドさせる。これにより、ストラップ紐２５に対するキャップホルダ３０の位置が、図３に示す状態から図１に示す状態に変化する。その結果、キャップホルダ３０の移動距離だけ、カメラ本体２からレンズキャップ９までの長さを短くすることができる。なお、これとは逆に、キャップホルダ３０をカメラ本体２から遠ざける方向へスライドさせることにより、カメラ本体２からレンズキャップ９までの長さを長くすることができる。
【００４３】
図１２及び図１３は、本発明のキャップホルダの第２の実施の例を示すものである。この実施例で示すキャップホルダ４０は、ブロック体４１の構造を簡素化し、ストラップ紐用穴４２を一つの凹部として構成したものである。この実施例のキャップホルダ４０が前記実施例のキャップホルダ３０と異なる点は、ストラップ紐用穴４２のみであり、その他の形状・構造は同一又は略同様である。そのため、図１２及び図１３において、前記実施例のキャップホルダ３０と同一部分には同一の符号を付して、重複した説明を省略する。
【００４４】
キャップホルダ４０は、適当な厚みを有する１個のやや横長のブロック体４１からなり、そのブロック体４１の中央部にキャップ紐用穴３２が設けられている。そして、ブロック体４１のキャップ紐用穴３２を挟んでブロック体４１の長手方向両側に一対のストラップ紐用穴４２，４２が設けられている。
【００４５】
ストラップ紐用穴４２は、ブロック体４１の長手方向両端に設けたスリット３４によって長手方向両側に開口されている。このスリット３４を形成するブロック体４１の長手方向両側部には、ストラップ紐用穴４２に挿通されたストラップ紐２５の抜け出しを防止するための一対の爪部３５がそれぞれ設けられている。この一対の爪部３５は、前記実施例と同様であり、左右対称をなしていて、それぞれの先端側がキャップ紐用穴３２側を向くよう内向きに形成されている。
【００４６】
また、ストラップ紐用穴４２の、スリット３４と対向する面のほぼ中央部には、スリット３４側に向いて突出する底部突起３７が設けられている。底部突起３７の形状は、この実施例では半円形の突条として形成したが、三角形の突条として形成してもよい。ストラップ紐用穴４２の大きさは、ストラップ紐２５の容積と同程度か又は少し大き目の容積を占める大きさに形成されている。２つの爪部３５，３５間の隙間（間隔）Ｅ０は、ストラップ紐２５の直径ＤＡよりも適度に小さいことは、前記実施例と同様である（ＤＡ＞Ｅ０）。
【００４７】
図１３は、ストラップ紐２５が、ストラップ紐用穴４２内に係合されている状態を示すものである。この状態では、ストラップ紐２５は、２つの爪部３５，３５と１つの底部突起３７とに適度に押し付けられていて、これらの間に生じる摩擦力によってその位置に保持されている。この場合、２つの爪部３５，３５間の隙間Ｅ０が比較的小さいため、ストラップ紐用穴４２からスリット３４を経て外部へ飛び出すまでのストラップ紐２５の移動には、比較的大きな力を要することになる。その一方、ストラップ紐２５の長手方向への移動は、その外形に沿って摺動するだけであるため、比較的容易にスライドさせて移動することができる。
【００４８】
このような構成を有するキャップホルダ４０の使用方法は、前記第１の実施例で説明したキャップホルダ３０の場合と同様である。そして、このような構成を有するキャップホルダ４０によっても、前記実施例と同様の効果を得ることができる。
【００４９】
以上説明したように、本発明によれば、キャップ紐とストラップ紐の連結、解除を容易に行うことができ、使用者の使用方法に合わせて、レンズキャップを取り付けたり、取り外したりすることが容易となり、利便性を向上させることができる。更に、キャップホルダの内部に紐を通す部分が設けられているため、キャップホルダを小型化することが可能となり、障害物となり易い突起部を生ずることがない。
【００５０】
以上説明したが、本発明は前記実施例に限定されるものではなく、本発明の要旨を逸脱しない範囲内で各種の変形実施が可能である。例えば、前記実施例では、撮像装置としてデジタルスチルカメラを適用した例について説明したが、アナログスチルカメラは勿論のこと、ビデオカメラ（デジタルビデオカメラ、アナログビデオカメラ）、監視カメラ、その他各種の撮像装置に適用できるものである。
【００５１】
また、前記実施例では、ブロック体の長手方向両端にスリット３４を設けた例について説明したが、長手方向両端近傍の側方にスリット３４を設ける構造とすることもできる。更に、前記実施例では、ストラップ紐用穴の内側に１つの底部突起を設け、一対の側部突起と底部突起の３点でストラップ紐を支持する構造について説明したが、支持部を増やして４点支持構造や５点支持構造等とすることもできる。例えば、各側部突起の奥に突起をそれぞれ１個ずつ設けることによって４点支持構造とすることができ、また、この４点支持構造に更に底部突起を加えることによって５点支持構造とすることができる。
【符号の説明】
【００５２】
１…デジタルカメラ（撮像装置）、  ２…カメラ本体（撮像装置本体）、  ３…レンズ部、  ８…対物レンズ、  ９…レンズキャップ、  １０…キャップ紐、  １０ａ…先端部、  １１…紐止め部、  １２…通し穴、  １４…止め具、  ２０…ハンドストラップ、  ２１…ストラップ用取付部、  ２２…凹部、  ２３…軸部、  ２５…ストラップ紐、  ２５ａ…先端部、  ２６…連結紐、  ２６ａ…先端部、  ２７…固定具、  ３０，４０…キャップホルダ、  ３１，４１…ブロック体、  ３２…キャップ紐用穴、  ３３，４２…ストラップ紐用穴、  ３３ａ…内側凹部、  ３３ｂ…外側凹部、  ３４…スリット、  ３５…爪部、  ３６…側部突起、  ３７…底部突起
【図１】
2010282022.tif 000003
【図２】
2010282022.tif 000004
【図３】
2010282022.tif 000005
【図４】
2010282022.tif 000006
【図５】
2010282022.tif 000007
【図６】
2010282022.tif 000008
【図７】
2010282022.tif 000009
【図８】
2010282022.tif 000010
【図９】
2010282022.tif 000011
【図１０】
2010282022.tif 000012
【図１１】
2010282022.tif 000013
【図１２】
2010282022.tif 000014
【図１３】
2010282022.tif 000015